(57)【要約】【課題】流通時にはコンパクトになり、展示時にはブレスレットの魅力を十分にアピールすることができるブレスレットホルダーを提供する。【解決手段】下端側が前方に、上端側が後方に位置するように傾斜する第１傾斜部と、第１傾斜部から前側に突出されて、ブレスレットを環状に保持する凸部と、第１係合部とを有する保持部と、保持部の下端側から後方に屈曲されて載置面に載置される載置部と、載置部の後端側から前方斜め上方に屈曲された第２傾斜部と、第２傾斜部の上端側に設けられて第１係合部に背面側から係脱可能な第２係合部とを有する支え部と、を備え、載置部及び支え部が、第１傾斜部の背面側に、シート状に折り畳み可能である。【選択図】図１
2013052158.tif 000002
【特許請求の範囲】
【請求項１】
ブレスレットを環状に保持するブレスレットホルダーにおいて、
下端側が前方に、上端側が後方に位置するように傾斜する第１傾斜部と、前記第１傾斜部から前側に突出されて、ブレスレットを環状に保持する凸部と、第１係合部とを有する保持部と、
前記保持部の下端側から後方に屈曲されて載置面に載置される載置部と、
前記載置部の後端側から前方斜め上方に屈曲された第２傾斜部と、前記第２傾斜部の上端側に設けられて前記第１係合部に背面側から係脱可能な第２係合部とを有する支え部と、を備え、
前記載置部及び前記支え部が、前記第１傾斜部の背面側に、シート状に折り畳み可能である、
ことを特徴とするブレスレットホルダー。
【請求項２】
前記第１係合部がスリットであり、前記第２係合部が、前記スリットに係脱可能な突起である、
ことを特徴とする請求項１に記載のブレスレットホルダー。
【請求項３】
前記凸部が、環状に形成されている、
ことを特徴とする請求項１又は２に記載のブレスレットホルダー。
【請求項４】
前記スリットが、前記環状に形成された凸部の内側に形成されている、
ことを特徴とする請求項３に記載のブレスレットホルダー。
【請求項５】
前記環状に保持された状態のブレスレットに係脱可能で、係合時に前記ブレスレットの回転を防止する回転防止部を有する、
ことを特徴とする請求項１ないし４のいずれか１項に記載のブレスレットホルダー。
【請求項６】
折り畳み状態の請求項１ないし５のいずれか１項に記載の前記ブレスレットホルダーと、
前記凸部に環状に保持されたブレスレットと、
前記ブレスレットホルダー及び前記ブレスレットを収納する光透過性のパッケージと、を備える、
ことを特徴とするホルダーセット。
【発明の詳細な説明】
【技術分野】
【０００１】
本発明は、ブレスレットホルダーの流通と展示の双方に使用することができるブレスレットホルダー、及びこれを備えたホルダーセットに関する。
【背景技術】
【０００２】
従来、ブレスレットの店頭ディスプレイ用（展示用）に、プラスチック製の立体的なブレスレットホルダーが使用されていた。また、特許文献１に開示されているような、斜めに立てた基盤に、複数のフックを突設し、これらのフックに複数のブレスレットをかるものもある。
【先行技術文献】
【特許文献】
【０００３】
【特許文献１】特開２００２−６５４２４号公報
【発明の概要】
【発明が解決しようとする課題】
【０００４】
しかしながら、ブレスレットの流通時には、パッケージをコンパクトにしたいために、上述の展示用のブレスレットホルダーの外に、流通時の専用のパッケージを準備していた。つまり、流通時のパッケージと、展示のブレスレットホルダーの双方を準備していた。
本発明は、上述した事情に鑑みてなされたものであり、流通時にはコンパクトになり、展示時にはブレスレットの魅力を十分にアピールすることができるブレスレットホルダー、及びこれを備えたホルダーセットを提供することを目的とする。
【課題を解決するための手段】
【０００５】
請求項１に係る発明は、ブレスレットを環状に保持するブレスレットホルダーにおいて、
下端側が前方に、上端側が後方に位置するように傾斜する第１傾斜部と、前記第１傾斜部から前側に突出されて、ブレスレットを環状に保持する凸部と、第１係合部とを有する保持部と、前記保持部の下端側から後方に屈曲されて載置面に載置される載置部と、前記載置部の後端側から前方斜め上方に屈曲された第２傾斜部と、前記第２傾斜部の上端側に設けられて前記第１係合部に背面側から係脱可能な第２係合部とを有する支え部と、を備え、
前記載置部及び前記支え部が、前記第１傾斜部の背面側に、シート状に折り畳み可能である、ことを特徴とする。
【０００６】
請求項２に係る発明は、請求項１に係るブレスレットホルダーにおいて、前記第１係合部がスリットであり、前記第２係合部が、前記スリットに係脱可能な突起である、ことを特徴とする。
【０００７】
請求項３に係る発明は、請求項１又は２に係るブレスレットホルダーにおいて、前記凸部が、環状に形成されている、ことを特徴とする。
【０００８】
請求項４に係る発明は、請求項３に係るブレスレットホルダーにおいて、前記スリットが、前記環状に形成された凸部の内側に形成されている、ことを特徴とする。
【０００９】
請求項５に係る発明は、請求項１ないし４のいずれか１項に係るブレスレットホルダーにおいて、前記環状に保持された状態のブレスレットに係脱可能で、係合時に前記ブレスレットの回転を防止する回転防止部を有する、ことを特徴とする。
【００１０】
請求項６に係る発明は、ホルダーセットにおいて、折り畳み状態の請求項１ないし５のいずれか１項に記載の前記ブレスレットホルダーと、前記凸部に環状に保持されたブレスレットと、前記ブレスレットホルダー及び前記ブレスレットを収納する光透過性のパッケージと、を備える、ことを特徴とする。
【発明の効果】
【００１１】
請求項１の発明によれば、載置部及び支え部を、第１傾斜部の背面側にシート状に折り込むことにより、ブレスレットホルダー全体をコンパクトにすることができる。一方、載置部及び支え部を組み立てることにより、ブレスレットの展示が可能となる。
【００１２】
請求項２の発明によれば、保持部のスリットに、支え部の突起を挿入することで、ブレスレットホルダーを簡単に組み立てることができる。
【００１３】
請求項３の発明によれば、凸部が環状に形成されているので、この環状の凸部により、ブレスレットを環状に確実に保持することができる。
【００１４】
請求項４の発明によれば、スリットが環状に形成された凸部の内側に形成されているので、ブレスレットを環状の凸部で保持した場合に、全体が安定する。
【００１５】
請求項５の発明によれば、回転防止部により、環状に保持されたブレスレットの不要な回転を防止することができる。
【００１６】
請求項６の発明によれば、載置部及び支え部を、第１傾斜部の背面側にシート状に折り込むことにより、ホルダーセット全体をコンパクトにすることができる。一方、ブレスレットホルダーの載置部及び支え部を組み立てることにより、ブレスレットの展示が可能となる。
【図面の簡単な説明】
【００１７】
【図１】図１〜図３は、実施形態１のブレスレットホルダー１を示し、図１（Ａ）は展開状態Ｐ１のブレスレットホルダー１（Ｐ１）の正面図であり、（Ｂ）は（Ａ）中のＸ−Ｘ線矢視図であり、（Ｃ）は（Ａ）中のＹ−Ｙ線矢視図である。
【図２】折り畳み状態Ｐ２のブレスレットホルダー１（Ｐ２）の、図１（Ｃ）に相当する図である。
【図３】組立状態Ｐ３のブレスレットホルダー１（Ｐ３）の、図１（Ｃ）に相当する図である。
【図４】図４〜図６は、ホルダーセットを示し、図４（Ａ）はパッケージＰに収納されたブレスレットホルダー１の正面図であり、（Ｂ）はパッケージＰから取り出した折り畳み状態Ｐ２のブレスレットホルダー１（Ｐ２）の正面図であり、（Ｃ）はさらにブレスレットホルダー１（Ｐ２）とブレスレットＢと台紙４０とをばらばらにした状態を示す図である。
【図５】（Ｄ）は組立途中のブレスレットホルダー１を後斜め上方から見た斜視図であり、（Ｅ）は組立状態Ｐ３のブレスレットホルダー１（Ｐ３）を前斜め上方から見た斜視図であり、（Ｆ）は組立状態Ｐ３のブレスレットホルダー１（Ｐ３）にブレスレットＢを取り付けた状態を示す斜視図である。
【図６】（Ｇ）は台紙４０を組み立て途中を示す斜視図であり、（Ｈ）は組立後の台紙４１を示す斜視図であり、（Ｉ）はブレスレットＢを取り付けたブレスレットホルダー１（Ｐ３）を、台紙４０に載せた状態を示す斜視図である。
【図７】実施形態２のホルダーセットＳを示し、（Ａ）は折り畳み状態Ｐ２のブレスレットホルダー１（Ｐ２）を、化粧箱６０に収納した状態を示す正面図であり、（Ｂ）は（Ａ）中のＺ−Ｚ線矢視図である。
【発明を実施するための形態】
【００１８】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
【００１９】
図１〜図３を参照して本発明を適用した実施形態１に係るブレスレットホルダー１について説明する。ここで、図１（Ａ）は展開状態Ｐ１のブレスレットホルダー１（Ｐ１）の正面図であり、（Ｂ）は（Ａ）中のＸ−Ｘ線矢視図であり、（Ｃ）は（Ａ）中のＹ−Ｙ線矢視図である。また、図２は折り畳み状態Ｐ２のブレスレットホルダー１（Ｐ２）の、図１（Ｃ）に相当する図である。また、図３は組立状態Ｐ３のブレスレットホルダー１（Ｐ３）の、図１（Ｃ）に相当する図である。
【００２０】
なお、ブレスレットホルダーについて状態を特に区別する必要がない場合には、ブレスレットホルダー１とし、図１に示すような展開状態Ｐ１のものをブレスレットホルダー１（Ｐ１）とし、図２に示すような折り畳み状態Ｐ２のものをブレスレットホルダー１（Ｐ２）とし、図３に示すような組立状態Ｐ３のものをブレスレットホルダー１（Ｐ３）とする。他の保持部１０、載置部２０、支え部３０、突起３１等についても同様である。例えば、保持部１０は、展開状態Ｐ１のものは保持部１０（Ｐ１）、折り畳み状態Ｐ２のものは保持部１０（Ｐ２）、組立状態Ｐ３のものは保持部１０（Ｐ３）である。
【００２１】
図１〜図３に示すように、ブレスレットホルダー１は、保持部１０と、載置部２０と、支え部３０とを備えて構成されている。図１（Ａ），（Ｃ）に示す展開状態Ｐ１のブレスレットホルダー１（Ｐ１）においては、保持部１０（Ｐ１）は、山折り線Ｔ１よりも上側の部分に相当し、載置部２０（Ｐ１）は、山折り線Ｔ１と山折り線Ｔ２との間の部分に相当し、支え部３０（Ｐ１）は、山折り線Ｔ２よりも下側の部分に相当する。
【００２２】
図３に示す組立状態Ｐ３の保持部１０（Ｐ３）は、下端側（載置部２０（Ｐ３）側）が前方に、上端側が後方に位置するように傾斜する第１傾斜部１５と、この第１傾斜部１５から前側に突出されて、ブレスレットＢを環状に保持する凸部１１と、スリット（第１係合部）１２とを有している。なお、ブレスレットＢは、実際には、例えば、図４（Ａ）に示すように、全体として環状に構成されているが、図１（Ａ）では、図１〜図３では、その一部を二点鎖線で図示している。
【００２３】
保持部１０は、略上半部が半円形に形成され、下半部が長方形状に形成されている。凸部１１は、断面形状が長方形の環状に形成されていて、上面１１ａ、内面１１ｂ、外面１１ｃを有している。外面１１ｃには、ブレスレットＢがかけられる。これにより、ブレスレットＢは、環状の姿勢を保持する。スリット１２は、凸部１１の内側の円形部分の上下方向の中央に、左右方向に向けて形成されている。スリット１２はこの位置、すなわち、ブレスレットＢを凸部１１に掛けたときの重心の位置に形成されているので、組立状態のブレスレットホルダー１（Ｐ３）は、ブレスレットＢをかけたときに安定する。
【００２４】
第１傾斜部１５における、凸部１１のすぐ下方には、回転防止部１６が設けられている。回転防止部１６は、４つの透孔１３ａ，１３ｂ，１４ａ，１４ｂと、透孔１４ａ，１４ｂを下方に凸状に連結するスリット１４と、ゴム部材（不図示）とによって構成されている。透孔１３ａ，１３ｂは、余裕を持ってゴム部材（不図示）によって連結されていて、このゴム部材の余裕部分を、ブレスレットＢの一部に係合させた後、スリット１４に引っ掛けることで、ブレスレットＢを軽く固定して、凸部１１に対して不要に回転するのを防止することができる。
【００２５】
図３に示す組立状態Ｐ３の載置部２０（Ｐ３）は、展開状態Ｐ１の保持部１０（Ｐ１）の下端側を山折り線Ｔ１に沿って後方に屈曲させることによって形成されており、載置部Ａに載置される。
【００２６】
図３に示す組立状態の支え部３０（Ｐ３）は、載置部２０（Ｐ３）の後端から山折り線Ｔ２に沿って前方斜め上方に屈曲された第２傾斜部３２と、この第２傾斜部３２の上端側で左右の中央に突設された、第２係合部としての舌片状の突起３１とを有している。この突起３１は、上述の保持部１０（Ｐ３）のスリット１２に対して後方から係脱自在（挿脱自在）であり、挿入して、爪部３１ａ，３１ａを引っかけることにより、保持部１０（Ｐ３）に対して支え部３０（Ｐ３）を固定することができる。
【００２７】
ブレスレットホルダー１は、素材としては、ボール紙、ボール紙にビロードのような装飾布を貼りつけたもの、合成樹脂性の薄板等を使用することができる。
図３に示すように、組立状態Ｐ３のブレスレットホルダー１（Ｐ３）は、ブレスレットＢを環状の状態で斜めに保持することができ、例えば、従来のプラスチック製の立体的なブレスレットホルダーに代えて略同様に使用することができる。
【００２８】
また、折り畳み状態Ｐ２のブレスレットホルダー１（Ｐ２）は、図２に示すように、山折り線Ｔ２を折らずに、山折り線Ｔ１で保持部１０（Ｐ２）の裏面側（背面側）に載置部２０（Ｐ２）、支え部３０（Ｐ２）を折り返すことにより、全体をコンパクトな構成とすることができる。このため、ブレスレットホルダー１（Ｐ２）は、ブレスレットＢを保持した状態で、コンパクトに取り扱うことができる。
【００２９】
図４（Ａ）に、上述のブレスレットホルダー１を備えたホルダーセットＳを示す。図示例では、ホルダーセットＳは、ブレスレットホルダー１と、凸部１１に掛けられて保持されたブレスレットＢと、これらを収納する透明なパッケージＰ（例えば、ビニル袋、プラスチックの箱）とを備えて構成されている。さらに図示例では、台紙４０とＰＯＰ５０（商品の宣伝等が記載されたシール）がパケージＰ内に収納されている。
【００３０】
図４〜図６の（Ａ）〜（Ｉ）を参照して、ホルダーセットＳの利用方法について説明する。なお、ブレスレットホルダー１は、パッケージＰに、折り畳み状態Ｐ２で収納されている。（Ａ）に示すホルダーセットＳのパッケージＰから、（Ｂ）に示すように、台紙４０、ブレスレットホルダー１（Ｐ２）、ブレスレットＢ、ＰＯＰ５０を取り出し、さらに、（Ｃ）に示すように、ブレスレットホルダー１（Ｐ２）の凸部１１からブレスレットＢを外す。図５（Ｄ）に示すように、上述のようにして、ブレスレットホルダー１を組み立てる。（Ｅ）に示すように、組立状態Ｐ３のブレスレットホルダー１（Ｐ３）の凸部１１にＰＯＰ５０を貼りつける。なお、ＰＯＰ５０としては、裏面に接着剤が塗布され、さらにこの接着剤に着脱自在な剥離しが付けられたものを便宜に使用することができる。（Ｆ）に示すように、凸部１１にブレスレットＢをかけ、図６（Ｇ），（Ｈ）に示すように、台紙４０の一部を谷折り線Ｔ３等から折り返して、台紙４０の本体４１、表示部４２、連結部４３を設ける。表示部４２には、例えば、ブレスレットＢについての宣伝文が記載されている。（Ｉ）に示すように、台紙４０の本体４１の上に組立状態Ｐ３のブレスレットホルダー１（Ｐ３）を載せて全体が完成する。このとき、表示部４２が前方を向くようにする。
【００３１】
ホルダーセットＳは、流通の際は、コンパクトに構成することができ、一方、展示時には、従来のプラスチック製のブレスレットホルダーと略同様に、ブレスレットＢを有効に展示することができる。
＜実施形態２＞
【００３２】
図７を参照して、実施形態２のホルダーセットＳについて説明する。ここで、図７（Ａ）は折り畳み状態Ｐ２のブレスレットホルダー１（Ｐ２）を、化粧箱６０に収納した状態を示す正面図であり、（Ｂ）は（Ａ）中のＺ−Ｚ線矢視図である。
【００３３】
本実施形態のホルダーセットＳは、例えば、ブレスレットＢの形状や色が、周方向で異なる場合、流通時には、特に魅力的な部分、アピールしたい部分を、窓部６１からのぞかせ、他の部分は隠すようにしている。
【００３４】
化粧箱６０は、前面６０ａと後面（背面）６０ｂとを有し、厚さ（（Ｂ）中の左右方向の寸法）よりも、幅（（Ａ）中の左右方向の寸法）、さらに幅よりも高さ（（Ａ）中の上下方向の寸法）が大きい、直方体状に形成されている。厚さは、ブレスレットＢが装着された折り畳み状態Ｐ２のブレスレットホルダー１（Ｐ２）がちょうど入る程度に設定されている。幅は、折り畳み状態Ｐ２のブレスレットホルダー１（Ｐ２）がちょうど入る程度に設定されている。そして、特徴的なのは、高さで、折り畳み状態Ｐ２の高さの２倍弱に、つまり、上部にかなりの空間が開くように設定されている。
【００３５】
化粧箱６０の前面６０ａには、高さ方向の略中央に、左右方向に長い長方形状の窓部６１が設けられている。化粧箱６０は、この窓部６１以外からは、内部が見えないようになっている。そして、例えば、ブレスレットＢが周方向に単一の構成ではなく、周方向の一部に特徴的な部分、魅力的な部分がある場合、これらの部分のみが、窓部６１から見えるようにしている。さらに、化粧箱６０は後面（背面）６０ｂの左右方向の中心に左右方向に長いスリット６２が形成されている。このスリット６２に対して、折り畳み状態Ｐ２のブレスレットホルダー１（Ｐ２）の支え部３０（Ｐ２）の突起３１（Ｐ２）を挿入することにより、縦長の化粧箱６０に対して、ブレスレットホルダー１（Ｐ２）が不要に移動しないようになっている。これにより、前述の回転防止部１６（図１（Ａ）参照）と相俟って、常に、ブレスレットＢの所定の部分が、窓部６１から見えるようになっている。
【００３６】
化粧箱６０は、高さ寸法を、ブレスレットホルダー１（Ｐ２）の高さ寸法よりもかなり大きくとることにより、前面６０ａの面積を大きくとっている。つまり、任意のデザインを付すことのできるスペースを大きくとって、デザインの自由度を大きくしてる。
【００３７】
図７に示すホルダーセットＳは、これとほぼ同じ大きさの、光透過性（透明又は半透明）のプラスチックケースに収納して流通させるようにしてもよい。このときは、突起３１（Ｐ２）が、図７（Ｂ）の場合と異なり、外部に露出されることを防止できる。つまり、外部に露出された突起３１が他のものに引っかかったりする事故を未然に防止することができる。
【００３８】
さらに、上述の光透過性のプラスチックケースに対し、上述の窓部６１以外の部分に印刷等を施すことで、窓部６１のみから内側が視認できるようにしてもよい。このような印刷を施す場合には、特に化粧箱６０を使用する必要がなく、例えば、化粧箱６０の後面（背面）６０ａに相当する長方形状の台紙にスリット６２と同様のスリットを形成し、このスリットに折り畳み状態のブレスレットホルダー１（Ｐ２）の突起３１（Ｐ２）を挿入し、この状態で、ブレスレットＢが装着されたブレスレットホルダー１（Ｐ２）を台紙とともに、プラスチックケースに収納するようにしてもよい。この場合には、突起３１（Ｐ２）は、台紙とプラスチックケースの後面（裏面）との間に位置することになり、外部に露出して流通時に他のものに引っかかったりするおそれがない。また、この場合には、化粧箱６０に代えて、台紙を使用するための、全体構成を簡略化することができる。
【００３９】
図７に示す例において、窓部６１の位置をこの位置ではなく、例えば、ブレスレットＢとして、図７（Ａ）の左右に点線で示す部分に特徴がある場合には、化粧箱６０のうちのこの部分に対応する位置に、窓部を設けるようにしてもよい。
【符号の説明】
【００４０】
１，１（Ｐ１），１（Ｐ２），１（Ｐ３）
ブレスレットホルダー
１０，１０（Ｐ１），１０（Ｐ２），１０（Ｐ３）
保持部
１１  凸部
１２  スリット（第１係合部）
１５  第１傾斜部
１６  回転防止部
２０，２０（Ｐ１），２０（Ｐ２），２０（Ｐ３）
載置部
３０，３０（Ｐ１），３０（Ｐ２），３０（Ｐ３）
支え部
３１  突起（第２係合部）
３２  第２傾斜部
４０  台紙
Ｐ  パッケージ
Ｐ１  展開状態
Ｐ２  折り畳み状態
Ｐ３  組立状態
Ｓ  ホルダーセット
【図１】
2013052158.tif 000003
【図２】
2013052158.tif 000004
【図３】
2013052158.tif 000005
【図４】
2013052158.tif 000006
【図５】
2013052158.tif 000007
【図６】
2013052158.tif 000008
【図７】
2013052158.tif 000009